(57)【特許請求の範囲】
【請求項１】
ユーザによって描画されたストローク画像の座標情報を含むストロークデータの入力を受け付ける取得部と、
入力された前記ストロークデータによって示される位置に前記ストローク画像が形成される第１のレイヤの上に、画像情報に基づく出力画像が形成される第２のレイヤを重ねた第１の重畳画像を表示させる重畳部と、
を有し、
前記重畳部は、
前記出力画像と重なる位置に第１のストローク画像が形成されるときに、前記第１の重畳画像から、前記第２のレイヤの上に前記第１のレイヤを重ねた第２の重畳画像に表示を切り換えるとともに、
前記第２の重畳画像に表示を切り替えた後に、前記出力画像と重ならない位置に第２のストローク画像が形成されるときに、前記第２の重畳画像から前記第１の重畳画像に表示を切り替える
ことを特徴とする表示制御装置。
【請求項２】
前記取得部は、レイヤの透過度の設定入力を受け付け、
前記重畳部は、前記第１のレイヤ及び前記第２のレイヤのうち一方のレイヤを前記設定入力に基づく透過度に設定して、他方のレイヤに重ねた重畳画像を表示する制御を実行することを特徴とする請求項１に記載の表示制御装置。
【請求項３】
他の通信端末によって送信される、描画されたストローク画像の座標情報を含むストロークデータを受信する通信制御部と、
受信された前記ストロークデータによって示される位置に前記ストローク画像が形成される第１のレイヤの上に、画像情報に基づく出力画像が形成される第２のレイヤを重ねた第１の重畳画像を表示させる重畳部と、
を有し、
前記重畳部は、
前記出力画像と重なる位置に第１のストローク画像が形成されるときに、前記第１の重畳画像から、前記第２のレイヤの上に前記第１のレイヤを重ねた第２の重畳画像に表示を切り換えるとともに、
前記第２の重畳画像に表示を切り替えた後に、前記出力画像と重ならない位置に第２のストローク画像が形成されるときに、前記第２の重畳画像から前記第１の重畳画像に表示を切り替える
ことを特徴とする通信端末。
【請求項４】
前記画像情報は、前記他の通信端末によって送信され、当該通信端末において受信した画像情報であることを特徴とする請求項３に記載の通信端末。
【請求項５】
請求項３又は４に記載の通信端末と、
前記他の通信端末と、
を有することを特徴とする通信システム。
【請求項６】
表示制御装置が、
ユーザによって描画されたストローク画像の座標情報を含むストロークデータの入力を受け付ける入力受付処理と、
入力された前記ストロークデータによって示される位置に前記ストローク画像が形成される第１のレイヤの上に、画像情報に基づく出力画像が形成される第２のレイヤを重ねた第１の重畳画像を表示させる表示制御処理と、
を実行し、
前記表示制御処理は、
前記出力画像と重なる位置に第１のストローク画像が形成されるときに、前記第１の重畳画像から、前記第２のレイヤの上に前記第１のレイヤを重ねた第２の重畳画像に表示を切り換えるとともに、
前記第２の重畳画像に表示を切り替えた後に、前記出力画像と重ならない位置に第２のストローク画像が形成されるときに、前記第２の重畳画像から前記第１の重畳画像に表示を切り替える
ことを特徴とする表示制御方法。
【請求項７】
通信端末が、
他の通信端末によって送信される、描画されたストローク画像の座標情報を含むストロークデータを受信する受信処理と、
受信された前記ストロークデータによって示される位置に前記ストローク画像が形成される第１のレイヤの上に、画像情報に基づく出力画像が形成される第２のレイヤを重ねた第１の重畳画像を表示させる表示制御処理と、
を実行し、
前記表示制御処理は、
前記出力画像と重なる位置に第１のストローク画像が形成されるときに、前記第１の重畳画像から、前記第２のレイヤの上に前記第１のレイヤを重ねた第２の重畳画像に表示を切り換えるとともに、
前記第２の重畳画像に表示を切り替えた後に、前記出力画像と重ならない位置に第２のストローク画像が形成されるときに、前記第２の重畳画像から前記第１の重畳画像に表示を切り替える
ことを特徴とする表示制御方法。
【請求項８】
表示制御装置に、
ユーザによって描画されたストローク画像の座標情報を含むストロークデータの入力を受け付ける入力受付処理と、
入力された前記ストロークデータによって示される位置に前記ストローク画像が形成される第１のレイヤの上に、画像情報に基づく出力画像が形成される第２のレイヤを重ねた第１の重畳画像を表示させる表示制御処理と、
を実行させ、
前記出力画像と重なる位置に第１のストローク画像が形成されるときに、前記第１の重畳画像から、前記第２のレイヤの上に前記第１のレイヤを重ねた第２の重畳画像に表示を切り換えるとともに、
前記第２の重畳画像に表示を切り替えた後に、前記出力画像と重ならない位置に第２のストローク画像が形成されるときに、前記第２の重畳画像から前記第１の重畳画像に表示を切り替える
ことを特徴とするプログラム。
【請求項９】
通信端末に、
他の通信端末によって送信される、描画されたストローク画像の座標情報を含むストロークデータを受信する受信処理と、
受信された前記ストロークデータによって示される位置に前記ストローク画像が形成される第１のレイヤの上に、画像情報に基づく出力画像が形成される第２のレイヤを重ねた第１の重畳画像を表示させる表示制御処理と、
を実行させ、
前記表示制御処理は、
前記出力画像と重なる位置に第１のストローク画像が形成されるときに、前記第１の重畳画像から、前記第２のレイヤの上に前記第１のレイヤを重ねた第２の重畳画像に表示を切り換えるとともに、
前記第２の重畳画像に表示を切り替えた後に、前記出力画像と重ならない位置に第２のストローク画像が形成されるときに、前記第２の重畳画像から前記第１の重畳画像に表示を切り替える
ことを特徴とするプログラム。
【発明の詳細な説明】
【技術分野】
【０００１】
本発明は、表示制御装置、通信端末、通信システム、表示制御方法、及びプログラムに関する。
【背景技術】
【０００２】
近年、当事者の移動の経費や時間を削減する要請等に伴い、インターネットや専用線等の通信ネットワークを介して通話や会議等を行う通信システムが普及している。このような通信システムでは、通信端末の有する機能に応じて、会議参加者や会議資料等の表示データや手書操作に基づくストロークデータ等のコンテンツデータを通信端末間で共有することができる。
【０００３】
また、通信ネットワークに接続する電子黒板のうちサーバ機を介して、クライアント機間でストロークデータを共有する方法が開示されている（特許文献１参照）。
【発明の概要】
【発明が解決しようとする課題】
【０００４】
表示制御装置において、描画操作された位置に形成される文字等の画像に加えて、会議資料等の他の画像を表示することで、多様なコンテンツを用いた会議等のコミュニケーションが可能になる。しかしながら、表示制御装置において、他の画像を優先して表示するように予め設定されている場合には、他の画像と重なる領域に文字等の画像が形成されるときに、文字等の画像の表示が妨げられるという課題が生じる。
【課題を解決するための手段】
【０００５】
請求項１に係る発明の表示制御装置は、ユーザによって描画されたストローク画像の座標情報を含むストロークデータの入力を受け付ける取得部と、入力された前記ストロークデータによって示される位置に前記ストローク画像が形成される第１のレイヤの上に、画像情報に基づく出力画像が形成される第２のレイヤを重ねた第１の重畳画像を表示させる重畳部と、を有し、前記重畳部は、前記出力画像と重なる位置に第１のストローク画像が形成されるときに、前記第１の重畳画像から、前記第２のレイヤの上に前記第１のレイヤを重ねた第２の重畳画像に表示を切り換えるとともに、前記第２の重畳画像に表示を切り替えた後に、前記出力画像と重ならない位置に第２のストローク画像が形成されるときに、前記第２の重畳画像から前記第１の重畳画像に表示を切り替えることを特徴とする。
【発明の効果】
【０００６】
以上説明したように本発明によれば、表示制御装置において、他の画像を優先して表示するように予め設定されている場合に、他の画像と重なる領域に文字等の画像が形成されるときに、文字等の画像の表示が妨げられることを防ぐことができるという効果を奏する。
【図面の簡単な説明】
【０００７】
【図１】図１は、一実施形態に係る通信システムの全体構成図である。
【図２】図２は、一実施形態に係る電子黒板のハードウェア構成図である。
【図３】図３は、一実施形態に係る管理システムのハードウェア構成図である。
【図４】図４は、一実施形態に係るテレビ会議端末としてのＰＣのハードウェア構成図である。
【図５】図５（ａ）は、一実施形態に係る電子黒板のソフトウェア構成図である。
【０００８】
図５（ｂ）は、一実施形態に係るＰＣのソフトウェア構成図である。
【図６】図６は、一実施形態に係る通信システムの一部を構成する電子黒板、及びＰＣの機能ブロック図である。
【図７】図７は、一実施形態に係る描画制御部を詳細に示した機能ブロック図である。
【図８】図８は、電子黒板又はＰＣの処理を示したシーケンス図である。
【図９】図９は、電子黒板又はＰＣの処理を示したシーケンス図である。
【図１０】図１０は、電子黒板又はＰＣの処理を示したシーケンス図である。
【図１１】図１１は、電子黒板又はＰＣの処理を示したシーケンス図である。
【図１２】図１２は、重畳画像を管理する処理を示したフロー図である。
【図１３】図１３は、透過度を制御する処理を示したフロー図である。
【図１４】図１４は、ディスプレイの表示例を示す図である。
【発明を実施するための形態】
【０００９】
以下、図面を用いて、本発明の一実施形態について説明する。
【００１０】
＜＜通信システムの全体構成＞＞
まず、図１を用いて、通信システム１について説明する。図１は、一実施形態に係る通信システムの全体構成図である。
【００１１】
通信システム１は、複数の電子黒板２ａ，２ｂ，２ｃ、ＰＣ８、中継装置３０、及び管理システム５０を有する。
【００１２】
電子黒板２ａ，２ｂ，２ｃは、通信ネットワーク９ａを介して通信可能に接続されている。また、電子黒板２ａ，２ｂ，２ｃには、それぞれディスプレイ３ａ，３ｂ，３ｃが設けられている。
【００１３】
電子黒板２ａ，２ｂ，２ｃは、電子ペン４ａ，４ｂ，４ｃによって生じたイベント（ディスプレイ３ａ，３ｂ，３ｃへの電子ペン４ａ，４ｂ，４ｃのペン先、又は、ペン尻のタッチ）により描画された画像を、ディスプレイ３ａ，３ｂ，３ｃに表示させることができる。なお、電子黒板２ａ，２ｂ，２ｃは、電子ペン４ａ，４ｂ，４ｃだけでなく、ユーザの手Ｈａ，Ｈｂ，Ｈｃ等によって生じたイベント（拡大、縮小、ページめくり等のジェスチャ）に基づいて、ディスプレイ３ａ，３ｂ，３ｃ上に表示されている画像を変更させることもできる。以下、電子黒板２ａ，２ｂ，２ｃのうち任意の電子黒板を示す場合には、電子黒板２と表す。また、ディスプレイ３ａ，３ｂ，３ｃのうち任意のディスプレイを示す場合には、ディスプレイ３と表す。また、電子ペン４ａ，４ｂ，４ｃのうち任意の電子ペンを示す場合には電子ペン４と示す。また、ユーザの手Ｈａ，Ｈｂ，Ｈｃのうち任意の手を示す場合には手Ｈと示す。
【００１４】
また、電子黒板２ａ，２ｂ，２ｃには、ＵＳＢ(Universal Serial Bus)メモリ５ａ，５ｂ，５ｃが接続可能である。電子黒板２ａ，２ｂ，２ｃはＵＳＢメモリ５ａ，５ｂ，５ｃからＰＤＦ(Portable Document Format)等の電子ファイルを読み出したり、ＵＳＢメモリ５ａ，５ｂ，５ｃに電子ファイルを記録したりすることができる。また、電子黒板２ａには、DisplayPort、DVI(Digital Visual Interface)、HDMI（登録商標）(High-Definition Multimedia Interface)およびVGA(Video Graphics Array)等の規格による通信が可能なケーブルを介して、ノートＰＣ６ａ，６ｂ，６ｃが接続されている。なお、ＵＳＢメモリ５ａ，５ｂ，５ｃのうち任意のＵＳＢメモリを示す場合にはＵＳＢメモリ５と示す。ノートＰＣ６ａ，６ｂ，６ｃのうち任意のノートＰＣを示す場合にはノートＰＣ６と示す。
【００１５】
これにより、一の拠点で電子黒板２のディスプレイ３上に描画されたストロークのストロークデータは、通信ネットワーク９ａを介して他の拠点で電子黒板２へ送信されることで、他の拠点のディスプレイ３上にも表示される。逆に他の拠点で電子黒板２のディスプレイ３上に描画されたストロークのストロークデータは、通信ネットワーク９ａを介して一の拠点の電子黒板２へ送信されることで、一の拠点の電子黒板２のディスプレイ３上に表示される。このように、通信システム１では、遠隔地において同じ画像を共有する遠隔共有処理を行うことができるため、遠隔地での会議等に用いると、非常に便利である。
【００１６】
なお、上記の電子黒板２に加えて、電子黒板以外の他の通信端末が通信ネットワーク９ａに接続することで、通信ネットワーク９ａを介して他の通信端末が電子黒板２との間でストロークデータ共有することもできる。他の通信端末としては、ＰＣ、テレビ会議端末、タブレット、スマートフォン、電子看板（デジタルサイネージ）、スポーツや天気予報等で利用されるテレストレータ、又は、遠隔画像（映像）診断装置等の画像処理装置、携帯情報端末、デジタルビデオカメラ、デジタルカメラ、ゲーム機等の画像フレームを供給可能な端末等のコンピュータが含まれる。
【００１７】
電子黒板２ｃ、ＰＣ（Personal computer）８、中継装置３０、管理システム５０は、通信ネットワーク９ｂを介して通信可能に接続されている。
【００１８】
電子黒板２ｃ及びＰＣ８は、コンテンツデータの一例として会議資料等の表示データの送受信による通信を行なう。なお、表示データは、ディスプレイに表示可能な画像の画像データである。表示データは、動画データであっても静止画データであってもよく、動画データと静止画データの両方であってもよい。
【００１９】
中継装置３０は、電子黒板２ｃ及びＰＣ８の間で、コンテンツデータを中継する処理を行なう。管理システム５０は、電子黒板２ｃ及びＰＣ８の通信状況等を一元的に管理する。
【００２０】
なお、電子黒板２ｃ及びＰＣ８以外の他の通信端末が通信ネットワーク９ｂに接続することで、通信ネットワーク９ｂを介して他の通信端末が電子黒板２ｃ、ＰＣ８との間で表示データを共有することもできる。他の通信端末としては、テレビ会議端末、タブレット、スマートフォン、電子看板（デジタルサイネージ）、テレストレータ、又は、画像処理装置、携帯情報端末、デジタルビデオカメラ、デジタルカメラ、ゲーム機等の画像フレームを供給可能な端末等のコンピュータが含まれる。
【００２１】
なお、電子黒板２ｃは、ストロークデータを共有するためのモジュール、及び表示データを共有するためのモジュールの双方を起動することで、通信端末間でストロークデータ及び表示データの両方を同時に共有することができる。
【００２２】
一実施形態によると、通信ネットワーク９ａはイントラネットであり，通信ネットワーク９ｂはインターネットである。ただし、通信ネットワーク９ａ，９ｂは、各通信端末のプロトコルに応じて、インターネット、ＬＡＮ(Local Area Network)、イントラネット、又は携帯電話網等の任意の通信ネットワークから選択される。また、通信ネットワーク９ａ，９ｂは、共にインターネットである場合のように同じ通信ネットワークであっても良い。
【００２３】
また、一実施形態では、記録媒体の一例として、ＵＳＢメモリを説明するが、これに限るものではなく、記録媒体の他の例として、ＳＤカード等の各種記録メディアであってもよい。
【００２４】
＜電子黒板のハードウェア構成＞
図２を用いて、一実施形態に係る電子黒板のハードウェア構成を説明する。なお、図２は、一実施形態に係る電子黒板のハードウェア構成図である。
【００２５】
図２に示されているように、電子黒板２は、電子黒板２全体の動作を制御するＣＰＵ(Central Processing Unit)２０１、ＩＰＬ等のＣＰＵ２０１の駆動に用いられるプログラムを記憶したＲＯＭ２０２、ＣＰＵ２０１のワークエリアとして使用されるＲＡＭ２０３、電子黒板用のプログラム等の各種データを記憶するＳＳＤ２０４、通信ネットワーク９との通信を制御するネットワークコントローラ２０５、および、ＵＳＢメモリ５との通信を制御する外部記憶コントローラ２０６を備えている。さらに、電子黒板２は、ＣＰＵ２０１の制御に従って被写体を撮像するカメラ２０７と、このカメラ２０７の駆動を制御する撮像素子Ｉ／Ｆ２０８と、ノートＰＣ６のディスプレイに対して映像情報を静止画または動画として表示させるキャプチャデバイス２１１、グラフィクスを専門に扱うＧＰＵ(Graphics Processing Unit)２１２、および、ＧＰＵからの出力画像をディスプレイ３へ出力するために画面表示の制御および管理を行うディスプレイコントローラ２１３を備えている。さらに、電子黒板２は、接触センサ２１５の処理を制御するセンサコントローラ２１４、ディスプレイ３上に電子ペン４やユーザの手Ｈ等が接触したことを検知する接触センサ２１５を備えている。一実施形態における、接触センサ２１５は、赤外線遮断方式による座標の入力および座標の検出を行う。この座標の入力および座標を検出する方法は、ディスプレイ３の上側両端部に設置された２つ受発光装置が、ディスプレイ３に平行して複数の赤外線を放射し、ディスプレイ３の周囲に設けられた反射部材によって反射されて、受光素子が放射した光の光路と同一の光路上を戻って来る光を受光する方法である。接触センサ２１５は、物体によって遮断された２つの受発光装置が放射した赤外線のＩＤ(Identification)をセンサコントローラ２１４に出力し、センサコントローラ２１４が、物体の接触位置である座標位置を特定する。なお、以下に示す全ての各ＩＤは、識別情報の一例である。
【００２６】
また、接触センサ２１５としては、赤外線遮断方式に限らず、静電容量の変化を検知することにより接触位置を特定する静電容量方式のタッチパネル、対向する２の抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。また、接触センサ２１５は、カメラを用いて、接触を判断し、座標位置を特定するものであっても良い。
【００２７】
また、電子黒板２は、電子ペンコントローラ２１６を備えている。この電子ペンコントローラ２１６は、電子ペン４と通信することで、ディスプレイ３へのペン先のタッチやペン尻のタッチの有無を判断する。なお、電子ペンコントローラ２１６が、電子ペン４のペン先およびペン尻だけでなく、電子ペン４のユーザが握る部分や、その他の電子ペンの部分のタッチの有無を判断するようにしてもよい。
【００２８】
さらに、電子黒板２は、音声を入力するマイク２２２と、音声を出力するスピーカ２２３と、ＣＰＵ１０１の制御に従ってマイク２２２およびスピーカ２２３との間で音信号の入出力を処理する音入出力Ｉ／Ｆ２２４と、ユーザの操作を受け付ける操作ボタン２２５と、電子黒板２の電源のＯＮ／ＯＦＦを切り換えるための電源スイッチ２２６と、を備えている。
【００２９】
さらに、電子黒板２は、上記各構成要素間を相互に電気的に接続するためのアドレスバスやデータバス等のバスライン２３０を備えている。
【００３０】
なお、電子黒板用のプログラムは、ＣＤ−ＲＯＭ等のコンピュータで読み取り可能な記録媒体や、ネットワーク上のサーバに記録して流通やダウンロードさせるようにしてもよい。
【００３１】
＜管理システムのハードウェア構成＞
図３を用いて、一実施形態に係る管理システムのハードウェア構成を説明する。なお、図３は、一実施形態に係る管理システムのハードウェア構成図である。
【００３２】
管理システム５０は、管理システム５０全体の動作を制御するＣＰＵ５０１と、伝送管理用プログラムを記憶したＲＯＭ５０２と、ＣＰＵ５０１のワークエリアとして使用されるＲＡＭ５０３と、各種データを記憶するＨＤ(Hard Disk)５０４と、ＣＰＵ５０１の制御に従ってＨＤ５０４に対する各種データの読み出しおよび書き込みを制御するＨＤＤ５０５と、フラッシュメモリ等の記録メディア５０６に対するデータの読み出しおよび書き込み（記憶）を制御するメディアＩ／Ｆ５０７とを備えている。さらに、管理システム５０は、カーソル、メニュー、ウィンドウ、文字、画像等の各種情報をディスプレイ５１６に表示させるためのディスプレイＩ／Ｆ５０８と、通信ネットワーク９を利用してデータ伝送をするためのネットワークＩ／Ｆ５０９と、文字、数値、各種指示等を入力するための複数のキーを備えたキーボード５１１と、各種指示の選択や実行、処理対象の選択、マウスカーソルなどのポインティングデバイスの移動等を行うマウス５１２とを備えている。さらに、管理システム５０は、着脱可能な記録媒体の一例としてのＣＤ−ＲＯＭ(Compact Disc Read Only Memory)５１３に対するデータの読み出しおよび書き込みを制御するＣＤ−ＲＯＭドライブ５１４と、外部の装置との間で情報を送受信するための外部装置Ｉ／Ｆ５１５と、上記各構成要素間を相互に電気的に接続するためのアドレスバスやデータバス等のバスライン５１０とを備えている。
【００３３】
また、上記伝送管理用プログラムは、インストール可能な形式または実行可能な形式のファイルで、上記記録メディア５０６やＣＤ−ＲＯＭ５１３等のコンピュータで読み取り可能な記録媒体に記録して流通させるようにしてもよい。上記伝送管理用プログラムはＨＤ５０４に記憶されていてもよい。
【００３４】
＜ＰＣのハードウェア構成＞
図４は、一実施形態に係るテレビ会議端末としてのＰＣ８のハードウェア構成図である。ＰＣ８は、ＣＰＵ８０１、ＲＯＭ８０２、ＲＡＭ８０３、フラッシュメモリ８０４、ＳＳＤ８０５、メディアＩ／Ｆ８０７、電源スイッチ８０９、バスライン８１０、ネットワークＩ／Ｆ８１１、カメラ８１２、撮像素子Ｉ／Ｆ８１３、マイク８１４、スピーカ８１５、音入出力Ｉ／Ｆ８１６、ディスプレイＩ／Ｆ８１７、外部機器接続Ｉ／Ｆ８１８、キーボード８２１、及びマウス８２２を備えている。これらのうち、ＣＰＵ８０１は、ＰＣ８全体の動作を制御する。ＲＯＭ(Read Only Memory)８０２は、ＩＰＬ(Initial Program Loader)等のＣＰＵ８０１の駆動に用いられるプログラムを記憶する。ＲＡＭ(Random Access Memory)８０３は、ＣＰＵ８０１のワークエリアとして使用される。フラッシュメモリ８０４は、通信用プログラム、表示データ、及び音データ等の各種データを記憶する。ＳＳＤ（Solid State Drive）８０５は、ＣＰＵ８０１の制御にしたがってフラッシュメモリ８０４に対する各種データの読み出し又は書き込みを制御する。なお、ＳＳＤに代えてＨＤＤを用いてもよい。メディアＩ／Ｆ８０７は、フラッシュメモリ等の記録メディア８０６に対するデータの読み出し又は書き込み（記憶）を制御する。
【００３５】
また、ネットワークＩ／Ｆ(Interface)８１１は、通信ネットワーク９ｂを利用してデータ通信をするためのインターフェースである。カメラ８１２は、ＣＰＵ８０１の制御に従って被写体を撮像して表示データを得る内蔵型の撮像手段の一種である。撮像素子Ｉ／Ｆ８１３は、カメラ８１２の駆動を制御する回路である。マイク８１４は、音声を入力する内蔵型の集音手段の一種である。音入出力Ｉ／Ｆ８１６は、ＣＰＵ８０１の制御に従ってマイク８１４及びスピーカ８１５との間で音信号の入出力を処理する回路である。ディスプレイＩ／Ｆ８１７は、ＣＰＵ８０１の制御に従って外付けのディスプレイ８２０に表示データを送信する回路である。外部機器接続Ｉ／Ｆ８１８は、各種の外部機器を接続するためのインターフェースである。キーボード８２１は、文字、数値、各種指示等を入力するための複数のキーを備えている。マウス８２２は、各種指示の選択や実行、処理対象の選択、マウスカーソルなどのポインティングデバイスの移動等を行う。
【００３６】
また、バスライン８１０は、ＣＰＵ８０１等の図４に示されている各構成要素を電気的に接続するためのアドレスバスやデータバス等である。
【００３７】
ディスプレイ８２０は、被写体の画像や操作用アイコン等を表示する液晶や有機ＥＬによって構成された表示手段の一種である。また、ディスプレイ８２０は、ケーブル８２０ｃによってディスプレイＩ／Ｆ８１７に接続される。このケーブル８２０ｃは、アナログＲＧＢ（ＶＧＡ）信号用のケーブルであってもよいし、コンポーネントビデオ用のケーブルであってもよいし、ＨＤＭＩ（登録商標）(High-Definition Multimedia Interface)やＤＶＩ(Digital Video Interactive)信号用のケーブルであってもよい。
【００３８】
なお、カメラ８１２は、レンズや、光を電荷に変換して被写体の画像（映像）を電子化する固体撮像素子を含み、固体撮像素子として、ＣＭＯＳ(Complementary Metal Oxide Semiconductor)や、ＣＣＤ（Charge Coupled Device）等が用いられる。外部機器接続Ｉ／Ｆ８１８には、ＵＳＢ(Universal Serial Bus)ケーブル等によって、外付けカメラ、外付けマイク、及び外付けスピーカ等の外部機器がそれぞれ接続可能である。外付けカメラが接続された場合には、ＣＰＵ８０１の制御に従って、内蔵型のカメラ８１２に優先して、外付けカメラが駆動する。同じく、外付けマイクが接続された場合や、外付けスピーカが接続された場合には、ＣＰＵ８０１の制御に従って、それぞれが内蔵型のマイク８１４や内蔵型のスピーカ８１５に優先して、外付けマイクや外付けスピーカが駆動する。
【００３９】
また、記録メディア８０６は、ＰＣ８に対して着脱自在な構成となっている。また、ＣＰＵ８０１の制御にしたがってデータの読み出し又は書き込みを行う不揮発性メモリであれば、フラッシュメモリ８０４に限らず、ＥＥＰＲＯＭ（Electrically Erasable and Programmable ROM）等を用いてもよい。
【００４０】
＜ソフトウェア構成＞
図５（ａ）は、一実施形態に係る電子黒板のソフトウェア構成図である。図５（ａ）に示されているように、ＯＳ(Operating System)２０２０、通信アプリケーションＡ１１、及び通信アプリケーションＢ１０は、ＲＡＭ２０３の作業領域２０１０上で動作する。以後、アプリケーションは、「アプリ」と表す。
【００４１】
ＯＳ２０２０は、基本的な機能を提供し、電子黒板全体を管理する基本ソフトウェアである。通信アプリＡ１１，Ｂ１０は、他の端末と通信を行うためのアプリであり、それぞれ通信プロトコルが異なる。通信アプリＡ１１は、ストロークデータを他の通信端末との間で送信するための通信制御機能と、ストロークデータを画像として出力するための画像処理機能を電子黒板２に実行させる。一方、通信アプリＢ１０は、テレビ会議資料等の表示データを他の通信端末との間で送信するための通信制御機能を電子黒板２に実行させる。一方で、通信アプリＢ１０は、表示データを出力するための画像処理機能を有していない。通信アプリＢ１０は、例えば、表示データに係る通信制御機能及び画像処理機能を共に有する通信アプリＢ１１から、ソフトウェア開発キットを用いて画像処理機能を除いたものであっても良い。
【００４２】
ＯＳ２０２０、及び、通信アプリＡ１１は、工場出荷前から、電子黒板２にインストールされている。また、通信アプリＢ１０は、工場出荷後に、任意に電子黒板２にインストール可能である。以下、電子黒板２ｃに通信アプリＢ１０がインストールされており、電子黒板２ａ，ａｂに通信アプリＢ１０がインストールされていないものとして説明を続ける。
【００４３】
図５（ｂ）は、一実施形態に係るＰＣのソフトウェア構成図である。図５（ｂ）に示されているように、ＯＳ８０２０、通信アプリＢ１１は、ＲＡＭ８０３の作業領域８０１０上で動作する。
【００４４】
ＯＳ８０２０は、基本的な機能を提供し、ＰＣ８全体を管理する基本ソフトウェアである。通信アプリＢ１１は、会議資料等の表示データを他の通信端末との間で送信するための通信制御機能と、表示データを画像として出力するための画像処理機能と、をＰＣ８に実行させる。
【００４５】
また、ＯＳ８０２０、及び、通信アプリＢ１１は、工場出荷前又は工場出荷後に、ＰＣ８にインストールされる。
【００４６】
＜＜実施形態の機能構成＞＞
次に、一実施形態に係る通信システムの機能構成について説明する。図６は、一実施形態に係る通信システムの一部を構成する電子黒板、及びＰＣの機能ブロック図である。図６では、電子黒板２ａ，２ｂ，２ｃが、通信ネットワーク９ａを介してデータ通信することができるように接続されている。また、図６では、電子黒板２ｃ及びＰＣ８が、通信ネットワーク９ｂを介してデータ通信することができるように接続されている。
【００４７】
電子黒板２は、図２に示されているハードウェア構成およびプログラムによって、図６に示されている各機能構成を実現する。また、電子黒板２は、ＳＳＤ２０４により構築される記憶部２０００を有している。ＰＣ８は、図４に示されているハードウェア構成およびプログラムによって、図６に示されている各機能構成を実現する。また、ＰＣ８は、ＳＳＤ８０５により構築される記憶部８０００を有している。
【００４８】
電子黒板２は、最初に遠隔共有処理を開始する「主催装置」となり得ると共に、既に開始されている遠隔共有処理に後から参加する「参加装置」にもなり得る。また、電子黒板２は、大きく分けて、クライアント部２０およびサーバ部９０の両方によって構成されている。クライアント部２０およびサーバ部９０は、電子黒板２の１台の筐体内で通信アプリＡ１１が起動することで実現される機能である。なお、クライアント部２０およびサーバ部９０のうち、電子黒板２にクライアント部２０を備え、サーバ部９０を配信制御装置などの電子黒板２とは異なる装置とするようにしてもよい。
【００４９】
電子黒板２が主催装置となる場合には、この電子黒板２では、クライアント部２０とサーバ部９０が実現（実行）される。また、電子黒板２が参加装置となる場合には、この電子黒板２では、クライアント部２０は実現（実行）されるが、サーバ部９０は実現（実行）されない。即ち、電子黒板２ａが主催装置で、電子黒板２ｂ，２ｃが参加装置となる場合、電子黒板２ａのクライアント部２０は、同じ電子黒板２ａ内に実現されたサーバ部９０を介して、他の電子黒板２ｂ,２ｃのクライアント部２０と通信を行う。一方、電子黒板２ｂ，２ｃのクライアント部２０は、他の電子黒板２ａ内に実現されたサーバ部９０を介して、他の電子黒板２ａ，２ｂ又は２ｃのクライアント部と通信を行う。
【００５０】
また、電子黒板２ｂ及びＰＣ８では、通信アプリＢ１０，Ｂ１１が起動することでクライアント部８０が実現される。クライアント部８０は、サーバとしての管理システム５０の呼制御により確立される通信において、中継装置３０を介して他の通信端末のクライアント部８０と通信を行う。
【００５１】
〔クライアント部２０の機能構成〕
クライアント部２０は、通信制御部２１及び描画制御部２２を有する。
【００５２】
通信制御部２１は、ＣＰＵ２０１からの命令、或いはネットワークコントローラ２０５によって実現され、通信ネットワーク９ａを介して、他の電子黒板２と行う通信や、サーバ部９０における後述の通信制御部９１と行う通信を制御する。
【００５３】
描画制御部２２は、ＣＰＵ２０１からの命令により実現され、ディスプレイ３上の操作により生成するストロークデータ、或いはＵＳＢメモリ５、ノートＰＣ６、通信制御部２１、記憶部２０００等から取得されるデータに基づいて画像処理を行う。また、描画制御部２２は、処理されたデータに基づいて画像レイヤを生成し、これらが重畳された重畳画像を出力する制御を行う。
【００５４】
図７は、一実施形態に係る描画制御部を詳細に示した機能ブロック図である。描画制御部２２は、ストローク処理部２２Ａ、取得部２２Ｂ、変換部２２Ｘ、重畳部２２Ｙ、及びページ処理部２２Ｚを有している。
【００５５】
ストローク処理部２２Ａは、ＣＰＵ２０１からの命令によって実現され、ディスプレイ３上の電子ペン４や手Ｈの操作によってストローク描画のイベントが発生すると、操作に応じたストロークデータを生成する処理を行う。
【００５６】
取得部２２Ｂは、ＣＰＵ２０１からの命令によって実現され、記憶部２０００に記憶されたデータを取得する。
【００５７】
変換部２２Ｘは、ＣＰＵ２０１からの命令によって実現され、各種データを変換する処理を行う。この変換には、テキスト化、実データ（バイナリ）変換、シリアライズ、デシリアライズ、エンコード、デコード等が含まれていても良い。
【００５８】
重畳部２２Ｙは、ＣＰＵ２０１からの命令によって実現され、各データに基づいて各画像レイヤを生成し、これらを重畳する処理を行う。
【００５９】
ページ処理部２２Ｚは、ストロークデータと表示データを１つのページデータにまとめて、記憶部２０００の一部であるページデータ記憶部２２０に記憶する。
【００６０】
ページデータ記憶部２２０は、記憶部２０００の一部に構築され、表１に示されているようなページデータを記憶する。表１は、ページデータを示す概念図である。ページデータは、ディスプレイ３に表示される１ページ分のデータ（ストローク配列データ（各ストロークデータ）及びメディアデータ）である。
【００６１】
【表１】
0006540367.tif 000002
【００６２】
ページデータは、任意の１ページを識別するためのページデータＩＤ、このページの表示を開始した時刻を示す開始時刻、ストロークやジェスチャ等によるページの内容の書き換えが行われなくなった時刻を示す終了時刻、電子ペン４やユーザの手Ｈによるストロークによって生じたストローク配列データを識別するためのストローク配列データＩＤ、及びメディアデータを識別するためのメディアデータＩＤが関連付けて記憶されている。ストローク配列データは、ストローク画像がディスプレイ３上に表示されるためのデータである。メディアデータは、ストローク画像と重畳する他の画像がディスプレイ３上に表示されるためのデータである。
【００６３】
また、ストローク配列データは、表２に示されているように詳細な情報を示している。表２は、ストローク配列データを示す概念図である。表２に示されているように、１つのストローク配列データは、複数のストロークデータによって表される。そして、１つのストロークデータは、このストロークデータを識別するためのストロークデータＩＤ、１つのストロークの書き始めの時刻を示す開始時刻、１つのストロークの書き終わりの時刻を示す終了時刻、ストロークの色、ストロークの幅、及び、ストロークの通過点の配列を識別するための座標配列データＩＤを示している。例えば、ユーザが電子ペン４によってアルファベット「Ｓ」を描く場合は一筆書きとなるため、ストロークデータＩＤが１つで一文字のアルファベット［Ｓ］が示される。ところが、ユーザが電子ペン４によってアルファベット「Ｔ」を描く場合、二筆書きとなるため、ストロークデータＩＤが２つで一文字のアルファベット「Ｔ」が示されることになる。
【００６４】
【表２】
0006540367.tif 000003
【００６５】
更に、この座標配列データは、表３に示されているように詳細な情報を示している。表３は、座標配列データを示す概念図である。座標配列データは、ディスプレイ３上の１点（Ｘ座標値、Ｙ座標値）、この１点を通過したときのストロークの開始時刻からの差分の時刻（ｍｓ）、及び、この１点における電子ペン４の筆圧の各情報を示している。即ち、表３に示されている１点の集まりが、表２に示されている１つの座標配列データで示されている。例えば、ユーザが電子ペン４によってアルファベット「Ｓ」を描く場合、一筆書きとなるが、「Ｓ」を描き終えるまでに、複数の通過点を通過するため、座標配列データは、これら複数の通過点の情報を示している。
【００６６】
【表３】
0006540367.tif 000004
【００６７】
また、表１に示されているページデータのうちのメディアデータは、表４に示されているように詳細な情報を示している。表４は、メディアデータを示す概念図である。図９に示されているように、メディアデータは、表１に示されているページデータにおけるメディアデータＩＤ、メディアデータのデータ種類、メディアデータが記憶された記録時刻、メディアデータによってディスプレイ３上に表示される画像の位置（Ｘ座標値、Ｙ座標値）及び画像のサイズ（幅、高さ）、並びにメディアデータの内容を示すデータが関連付けられて示されている。このうち、メディアデータによってディスプレイ３上に表示される画像の位置は、ディスプレイ３の左上端の座標を（Ｘ座標値，Ｙ座標値）＝（０，０）とした場合に、メディアデータによって表示される画像の左上端の位置を示している。
【００６８】
【表４】
0006540367.tif 000005
【００６９】
更に、一実施形態において、ページデータ記憶部２２０には、端末１０においてユーザＩ／Ｆ（user interface,ＵＩ）画像のレイヤ、メディアデータに基づく出力画像のレイヤ、ストロークデータに基づくストローク画像のレイヤ、及び背景画像のレイヤの重畳画像を表示するときの各レイヤの優先順位が記憶されている。表５は、デフォルトの優先順位の一例を示す。デフォルトの優先順位では、背景画像のレイヤ上にストローク画像のレイヤ、出力画像のレイヤ、ＵＩ画像のレイヤを順に重ねた重畳画像を表示する設定となっている。
【００７０】
【表５】
0006540367.tif 000006
【００７１】
〔サーバ部９０の機能構成〕
サーバ部９０は、通信制御部９１を有している。
【００７２】
通信制御部９１は、ＣＰＵ２０１からの命令により実現され、同じ電子黒板２内のクライアント部２０における通信制御部２１、および通信ネットワーク９ａを介して他の電子黒板２内のクライアント部２０における通信制御部２１との間における通信を制御する。
【００７３】
〔クライアント部８０の機能構成〕
クライアント部８０の通信制御部８１は、ＣＰＵ２０１，８０１からの命令、或いはネットワークコントローラ２０５又はネットワークＩ／Ｆ８１１により実現され、他の通信端末のクライアント部８０における通信制御部８１との間の通信を制御する。
【００７４】
クライアント部８０の表示制御部８２は、通信アプリＢ１１を起動することで、ＣＰＵ８０１からの命令により実現される機能である。表示制御部８２は、通信制御部２１、記憶部８０００等から取得されるデータに基づいて画像処理を行い、画像を出力する制御を行う。
【００７５】
＜＜実施の形態の処理又は動作＞＞
続いて、図８乃至図１１を用いて、一実施形態に係る処理又は動作について説明する。なお、図８乃至図１１は、電子黒板又はＰＣの処理を示したシーケンス図である。
【００７６】
（電子黒板間の通信確立処理）
図８を用いて、電子黒板２ａ，２ｂ，２ｃ間の通信アプリＡ１１による通信を確立する処理について説明する。ユーザが電子黒板２ａの電源スイッチ２２６をオンにすると、通信アプリＡ１１が起動することで電子黒板２ａのクライアント部２０の処理が開始する（ステップＳ１）。そして、ディスプレイ３ａ上の操作により会議主催の要求が受け付けられると、クライアント部２０の通信制御部２１から同じ電子黒板２ａのサーバ部９０における通信制御部９１に、サーバ部９０の処理を開始させる指示を出力する。これにより、電子黒板２ａでは、クライアント部２０だけでなくサーバ部９０も各種処理を開始可能となる（ステップＳ２）。
【００７７】
次に、電子黒板２ａの通信制御部９１が電子黒板２ａとの接続を確立するための接続情報を生成し、クライアント部２０が生成された接続情報をディスプレイ３ａに表示させる（ステップＳ３）。この接続情報には、主催装置のＩＰアドレス、および今回の遠隔共有処理のために生成されたパスコードが含まれている。このパスコードは、記憶部２０００に記憶される。そして、接続情報は、電子黒板２ａのユーザによって、電話や電子メールにより、電子黒板２ｂ，２ｃのユーザに伝えられる。
【００７８】
次に、電子黒板２ｂ，２ｃでは、ユーザが電子黒板２ｂ，２ｃの電源スイッチ２２６をオンにすると、通信アプリＡ１１が起動することで電子黒板２ｂ，２ｃのクライアント部２０の処理が開始する（ステップＳ４，Ｓ５）。電子黒板２ｂ，２ｃにおいて、ディスプレイ３ｂ，３ｃ上の操作によって接続情報の入力が受け付けられると、各電子黒板２ｂ，２ｃのクライアント部２０における通信制御部２１が、接続情報のＩＰアドレスに基づき、通信ネットワーク９ａを介して、電子黒板２ａのサーバ部９０における通信制御部９１に対してパスコードを送信して参加要求を行う（ステップＳ６，Ｓ７）。電子黒板２ａの通信制御部９１は、各電子黒板２ｂ，２ｃから、参加要求（パスコードを含む）を受信する。
【００７９】
次に、通信制御部９１は、各電子黒板２ｂ，２ｃから受信したパスコードに対し、記憶部２０００で管理されているパスコードを用いて認証する（ステップＳ８）。そして、通信制御部９１が、各電子黒板２ｂ，２ｃのクライアント部２０に認証結果を通知する（ステップＳ９，Ｓ１０）。ステップＳ８の認証により、各電子黒板２ｂ，２ｃが正当な電子黒板であると判断されていた場合には、主催装置である電子黒板２ａと、参加装置である電子黒板２ｂ，２ｃとの遠隔共有処理の通信が確立される（ステップＳ１１，Ｓ１２）。なお、本実施形態では、電子黒板２ａ，２ｂ，２ｃ間で送信されるコンテンツデータは、ストロークデータを含む場合について説明する。
【００８０】
（電子黒板とＰＣとの間の通信確立処理）
図９を用いて、電子黒板２ｃ及びＰＣ８間で通信アプリＢ１０，Ｂ１１による通信を確立する処理について説明する。
【００８１】
電子黒板２ｃのディスプレイ３ｃ上の操作により、クライアント部２０が通信アプリＢ１０の起動要求を受け付けると、クライアント部８０は各種処理を開始可能となる（ステップＳ２１）。
【００８２】
続いて、クライアント部８０の通信制御部８１は、管理システム５０に対し、ログイン要求を行う（ステップＳ２２）。これにより、管理システム５０は、ログイン要求を受信する。
【００８３】
管理システム５０は、ログイン要求元の電子黒板２ｃを認証し（ステップＳ２３）、ログイン要求元の電子黒板２ｃに対して、認証結果を送信する（ステップＳ２４）。これにより、電子黒板２ｃの通信制御部８１は、認証結果を受信する。以下、上記ステップＳ２３により、正当なログイン要求元であると判断された場合について説明を続ける。
【００８４】
ＰＣ８において、キーボード８２１あるいはマウス８２２の操作に基づいて、通信アプリＢ１１の起動要求が受け付けられると、通信アプリＢ１１が起動して、ＰＣ８のクライアント部８０の処理が開始可能となる（ステップＳ３１）。
【００８５】
続いて、クライアント部８０の通信制御部８１は、管理システム５０に対し、ログイン要求を行う（ステップＳ３２）。これにより、管理システム５０は、ログイン要求を受信する。
【００８６】
管理システム５０は、ログイン要求元のＰＣ８を認証し（ステップＳ３３）、ＰＣ８に対して、認証結果を送信する（ステップＳ３４）。以下、上記ステップＳ３３により、正当なログイン要求元であると判断された場合について説明を続ける。
【００８７】
電子黒板２ｃの通信制御部８１は、ディスプレイ３ｃ上の操作に応じて、管理システム５０に対し、通信の開始要求を行う（ステップＳ４１）。この通信の開始要求には、通信の開始要求元の電子黒板２ｃの通信ＩＤ、および宛先のＰＣ８の通信ＩＤが含まれている。これにより、管理システム５０は、通信の開始要求を受信する。なお、通信ＩＤは通信先を特定するための情報であって、通信端末の識別情報や、通信端末のユーザのアカウントが含まれる。
【００８８】
次に、管理システム５０は、宛先のＰＣ８に対して、通信の開始要求を行う（ステップＳ４２）。この通信の開始要求には、上記ステップＳ４１によって送られて来た通信の開始要求元の電子黒板２ｃの通信ＩＤおよび宛先のＰＣ８の通信ＩＤが含まれている。これにより、宛先のＰＣ８は、通信の開始要求を受信する。
【００８９】
これに対して、ＰＣ８の通信制御部８１は、ユーザによる操作入力に応じて、管理システム５０に対し、応答可否を示す情報を送信する（ステップＳ４３）。以下、ＰＣ８が、応答する旨を示す情報を管理システム５０へ送信した場合について説明を続ける。
【００９０】
これにより、管理システム５０は、応答する旨を示す情報を受信する。管理システム５０は、開始要求元の電子黒板２ｃに対し、上記ステップＳ１３によって宛先のＰＣ８から送られて来た、応答する旨を示す情報を送信する（ステップＳ４４）。これにより、電子黒板２ｃの通信制御部８１は、応答する旨を示す情報を受信する。
【００９１】
続いて、管理システム５０は、電子黒板２ｃとＰＣ８との間で通信ネットワーク９ｂを介してコンテンツデータを送信するための通信を確立させる制御を行う（ステップＳ４５）。通信を確立させる方法は、特に限定されないが、例えば、通信ネットワーク９ｂにコンテンツデータを中継する中継装置３０が設けられている場合には、この中継装置に接続するための接続情報を、管理システム５０が電子黒板２ｃ及びＰＣ８へ、送信する方法が挙げられる。また、管理システム５０は、中継装置３０へ、電子黒板２ｃとＰＣ８との間でコンテンツデータの中継開始の要求を送信してもよい。上記の制御に基づいて、電子黒板２ｃとＰＣ８との間の通信が確立される（ステップＳ４６）。これにより、電子黒板２ｃ及びＰＣ８は、通信相手との間でコンテンツデータを送受信することができるようになる。なお、本実施形態では、電子黒板２ｃ及びＰＣ８の間で送信されるコンテンツデータは、会議資料の表示データ（映像データ又は静止画データ）を含む場合について説明する。
【００９２】
（出力画像の表示）
続いて、図１０を用いて、遠隔共有処理における出力画像が表示される処理について説明する。
【００９３】
ＰＣ８の表示制御部８２は、ディスプレイ８２０に表示された会議画像を含む表示データを取得する（ステップＳ５１）。ＰＣ８の通信制御部８１は、取得された表示データを、中継装置３０を介して、電子黒板２ｃのクライアント部８０へ送信する（ステップＳ５２）。ＰＣ８によって送信された表示データは、電子黒板２ｃの通信制御部８１によって受信される。電子黒板２ｃの通信制御部８１は、受信した表示データを記憶部２０００に記憶する。
【００９４】
電子黒板２ｃのクライアント部２０の取得部２２Ｂは、記憶部２０００に記憶されている表示データを取得する（ステップＳ５３）。電子黒板２ｃのクライアント部２０の変換部２２Ｘは、取得部２２Ｂによって取得された表示データが動画データである場合、動画データをレンダリングすることにより、静止画データとしての各フレームデータを生成しても良い。電子黒板２ｃのクライアント部２０の変換部２２Ｘは、取得部２２Ｂによって取得された表示データを、通信アプリＡ１１によって送信可能な形式として、テキスト形式に変換する（ステップＳ５４）。変換部２２Ｘは、テキスト形式に変換された表示データをシリアライズする（ステップＳ５５）。電子黒板２ｃの通信制御部２１は、通信ネットワーク９ａを介して、主催装置である電子黒板２ａの通信制御部９１にシリアライズされた表示データを送信する（ステップＳ５６−１）。
【００９５】
電子黒板２ａの通信制御部９１は、電子黒板２ｃから送られて来た表示データを受信すると、この表示データを電子黒板２ａのクライアント部２０へ送信する。送信された表示データは電子黒板２ａのクライアント部２０の通信制御部２１によって受信される。クライアント部２０の描画制御部２２における変換部２２Ｘは、表示データをデシリアライズする（ステップＳ５７−１）。更にデシリアライズされた表示データは変換部２２Ｘによって実データ（バイナリ）に変換される（ステップＳ５８−１）。ステップＳ５８−１の処理の一環として、ページ処理部２２Ｚは、得られた実データから、メディアデータＩＤ、データ種類、記録時刻、座標、画像のサイズ、及び画像のデータを抽出して、ページデータ記憶部２２０におけるメディアデータのテーブル（表４参照）に登録する。
【００９６】
重畳部２２Ｙは、ページデータ記憶部２２０において管理されている優先順位（表５参照）に従って、背景画像のレイヤ１４０ｄに、ストローク画像のレイヤ１４０ｃ、出力画像のレイヤ１４０ｂ、ＵＩ画像のレイヤ１４０ａを順に重ねた重畳画像をディスプレイ３ａに表示させる（ステップＳ５９−１）。出力画像のレイヤ１４０ｂには、重畳部２２Ｙによって出力画像が形成される。この出力画像は、メディアデータのテーブルに登録された会議画像のデータに基づくものである。また、出力画像のレイヤ１４０ｂにおいて出力画像は、メディアデータのテーブルに登録された座標に、メディアデータのテーブルに登録されたサイズに形成される。図１４（Ａ）は、ディスプレイ３ａの表示例を示す。図１４（Ａ）は、ストローク画像がまだ生成されていないため、ストローク画像が出力されていない例を示している。また、ＵＩ画像、及び背景画像は、予め記憶部２０００に記憶されているデータに基づいて生成される。
【００９７】
また、電子黒板２ａの通信制御部９１は、電子黒板２ｃから送られて来たシリアライズされた表示データを電子黒板２ｂ，２ｃのクライアント部２０へ送信する（ステップＳ５６−２，Ｓ５６−３）。送信された表示データは電子黒板２ｂ，２ｃのクライアント部２０の通信制御部２１によって受信される。電子黒板２ｂ，２ｃのクライアント部２０は、ディスプレイ３ｂ，３ｃに、電子黒板２ａから送られて来た表示データに基づく出力画像が含まれた重畳画像を表示する。この処理は、電子黒板２ａのクライアント部２０におけるステップＳ５７−１乃至Ｓ５９−１の処理と同様であるので説明を省略する（ステップＳ５７−２乃至Ｓ５９−２、及びＳ５７−３乃至Ｓ５９−３）
【００９８】
（重畳画像の表示）
続いて、図１１を用いて、ストローク画像を含む重畳画像を表示する処理について説明する。
【００９９】
まず、電子黒板２ｂのユーザが電子ペン４ｂを用いて電子黒板２ｂにストローク画像を描画すると、ストローク処理部２２Ａは、電子ペン４ｂとディスプレイ３ｂとの接触部の座標位置に基づいて、描画されたストロークのストロークデータを生成する。これにより、取得部２２Ｂはストロークデータの入力を受け付ける（ステップＳ６１）。このストロークデータは上記の表１乃至表３に示されている各パラメータを含む。変換部２２Ｘは、複数のストローク単位のストロークデータをまとめることでシリアライズ（直列化）する（ステップＳ６２）。電子黒板２ｂの通信制御部２１は、通信ネットワーク９ａを介して、主催装置である電子黒板２ａの通信制御部９１にシリアライズされたストロークデータを送信する（ステップＳ６３−１）。なお、電子黒板２ｂは、描画される度に、ストロークデータを主催装置である電子黒板２ａに順次送信しても良い。
【０１００】
電子黒板２ａの通信制御部９１は、電子黒板２ｂから送られて来たストロークデータを受信すると、このストロークデータを電子黒板２ａのクライアント部２０へ送信する。送信されたストロークデータは電子黒板２ａのクライアント部２０の通信制御部２１によって受信される。クライアント部２０の描画制御部２２における変換部２２Ｘは、ストロークデータをデシリアライズ（並列化）する（ステップＳ６４）。デシリアライズされたストロークデータは、ページ処理部２２Ｚによってページデータ記憶部２２０に記憶される。続いて、重畳部２２Ｙは、ページデータ記憶部２２０に記憶されているストロークデータに基づいて、ストローク単位のデータを合成した合成後のストローク画像を生成する。重畳部２２Ｙは、重畳画像を表示するときの各レイヤの優先順位を管理する（ステップＳ６５）。
【０１０１】
ステップＳ６５の処理について図１２を用いて詳細に説明する。図１２は、重畳画像を管理する処理を示したフロー図である。まず、重畳部２２Ｙは、ページデータ記憶部２２０に新たに記録されたストロークデータのうちＸ座標値及びＹ座標値（表３参照）を参照する（ステップＳ６５−１）。また、重畳部２２Ｙは、ページデータ記憶部２２０に記録されたメディアデータのうちＸ座標値、Ｙ座標値、幅、高さ（表４参照）を参照する（ステップＳ６５−２）。
【０１０２】
続いて、重畳部２２Ｙは、新たに記録されたストロークデータに基づいて新たに表示するストロークが、メディアデータに基づく出力画像の表示領域と重なるか否かを判断する（ステップＳ６５−３）。表４のメディアデータの例では、Ｘ座標値が１４００から１８００、Ｙ座標値が５０から３５０の範囲１４０ｂａに出力画像が表示される。ここで、新たに記録されたストロークデータのＸ座標値が１３５０、Ｙ座標値が３００であれば、ステップＳ６５−３でＮＯと判断され、新たに記録されたストロークデータのＸ座標値が１６５０、Ｙ座標値が３００であれば、ステップＳ６５−３でＹＥＳと判断される。
【０１０３】
ステップＳ６５−３でＹＥＳと判断された場合、重畳部２２Ｙは、ストローク画像のレイヤ１４０ｃの表示を出力画像のレイヤ１４０ｂに対して優先する旨の決定をする（ステップＳ６５−４）。ステップＳ６５−３でＮＯと判断された場合、重畳部２２Ｙは、出力画像のレイヤ１４０ｂの表示をストローク画像のレイヤ１４０ｃに対して優先する旨の決定をする（ステップＳ６５−５）。
【０１０４】
続いて、重畳部２２Ｙは、ステップＳ６５−４又はＳ６５−５の決定に基づいて、各レイヤの優先順位をページデータ記憶部２２０（表５）において管理する（ステップＳ６５−６）。例えば、ステップＳ６５−４において、ストローク画像のレイヤ１４０ｃの表示を優先する旨の決定がされた場合、重畳部２２Ｙは、優先順位を表６の状態となるように管理する。一方、ステップＳ６５−５において、出力画像のレイヤ１４０ｃの表示を優先する旨の決定がされた場合、重畳部２２Ｙは、優先順位を表５の状態となるように管理する。
【０１０５】
【表６】
0006540367.tif 000007
【０１０６】
重畳部２２Ｙは、ページデータ記憶部２２０において管理されている優先順位に従って、重畳画像をディスプレイ３ａ上に表示させる（ステップＳ６６）。例えば、優先順位のテーブルが表５の状態である場合、重畳部２２Ｙは、背景画像のレイヤ１４０ｄに、ストローク画像のレイヤ１４０ｃ、出力画像のレイヤ１４０ｂ、ＵＩ画像のレイヤ１４０ａを順に重ねた重畳画像をディスプレイ３ａに表示させる。図１４（Ｂ）は、出力画像のレイヤの表示を優先するときの表示例である。また、優先順位のテーブルが表６の状態である場合、重畳部２２Ｙは、背景画像のレイヤ１４０ｄ上に、出力画像のレイヤ１４０ｂ、ストローク画像のレイヤ１４０ｃ、ＵＩ画像のレイヤ１４０ａを順に重ねた重畳画像をディスプレイ３ａ上に表示させる。図１４（Ｃ）は、ストローク画像のレイヤの表示を優先するときの表示例である。
【０１０７】
また、電子黒板２ａの通信制御部９１は、電子黒板２ｂから送られて来たシリアライズされているストロークデータを電子黒板２ｂ，２ｃのクライアント部２０へ送信する（ステップＳ６３−２，Ｓ６３−３）。送信されたストロークデータは電子黒板２ｂ，２ｃのクライアント部２０の通信制御部２１によって受信される。電子黒板２ｂ，２ｃのクライアント部２０は、ディスプレイ３ｂ，３ｃに、重畳画像を表示する。この処理は、電子黒板２ａのクライアント部２０におけるステップＳ６４乃至Ｓ６６の処理と同様であるので説明を省略する（ステップＳ６８乃至Ｓ７１）。なお、電子黒板２ａ，２ｃにおいてストローク画像を描画したときの処理は、電子黒板２ｂのクライアント部２０が、電子黒板２ａ，２ｃのクライアント部２０に置き換わる点を除きステップＳ６１乃至Ｓ７１の処理と同様であるので説明を省略する。
【０１０８】
なお、上記の実施形態では、ストローク画像のレイヤ１４０ｃの表示が優先されるように制御された後、出力画像が表示される範囲とは異なる範囲にストロークが入力されると、ステップＳ６５−３でＮＯと判断される。これにより、端末１０の重畳部２２Ｙの処理によって、自動的に出力画像のレイヤ１４０ｂの表示が再び優先されるようになる（ステップＳ６５−５参照）。
【０１０９】
＜＜実施形態の変形例＞＞
続いて実施形態の変形例について上記の実施形態とは異なる点を説明する。変形例において、端末１０は、出力画像のレイヤ１４０ｂ及びストローク画像のレイヤ１４０ｃのうち、優先して表示するレイヤの透過度を制御する。図１３は、透過度を制御する処理を示したフロー図である。
【０１１０】
図１４（Ｄ）は、ディスプレイの表示例である。端末１０の重畳部２２Ｙは、透過度を設定するためのスライダ１４０ａｓがＵＩ画像のレイヤ１４０ａに含まれる重畳画像を表示する。ユーザは、スライダ１４０ａｓの位置を左右に操作することができる。
【０１１１】
取得部２２Ｂは、操作後のスライダ１４０ａｓの位置に応じて、優先して表示するレイヤの透過度の設定入力を受け付ける（ステップＳ８１）。重畳部２２Ｙは、操作後のスライダ１４０ａｓの位置が左端部であれば、例えば、透過度１００％の設定入力を受け付ける。また、重畳部２２Ｙは、操作後のスライダ１４０ａｓの位置が右端部であれば、例えば、透過度０％の設定入力を受け付ける。また、重畳部２２Ｙは、操作後のスライダ１４０ａｓの位置が中間部であれば、その位置に応じた透過度の設定入力を受け付ける。
【０１１２】
重畳部２２Ｙは、ページデータ記憶部２２０において管理されている優先順位に従って、重畳画像をディスプレイ３ａに表示させる。このとき、重畳部２２Ｙは、出力画像のレイヤ１４０ｂ及びストローク画像のレイヤ１４０ｃのうち、優先して表示するレイヤの透過度を、設定入力された透過度に制御する（ステップＳ８２）。図１４（Ｄ）のようにストローク画像のレイヤ１４０ｃの表示が優先されているときに、例えば、透過度を８０％にする設定入力が受け付けられると、ストロークを透過して出力画像を視認可能となる。
【０１１３】
＜＜実施形態の主な効果＞＞
上記実施形態の表示制御方法によると、端末１０（表示制御装置の一例）の取得部２２Ｂ（入力受付手段の一例）は、電子ペン４ｂとディスプレイ３ｂとの接触部の座標を含むストロークデータ（位置情報の一例）の入力を受け付ける（入力受付処理の一例）。また、端末１０（通信端末の一例）の通信制御部２１（受信手段の一例）は、他の端末１０又は自端末のサーバ部９０によって送信されたストロークデータを受信する（受信処理の一例）。重畳部２２Ｙ（表示制御手段の一例）は、入力又は受信されたストロークデータによって示される位置にストローク画像（第１の画像の一例）が形成されるストローク画像のレイヤ１４０ｃ（第１のレイヤの一例）、及びメディアデータ（画像情報の一例）に基づく出力画像（第２の画像の一例）が形成される出力画像のレイヤ１４０ｂ（第２のレイヤの一例）を重ねた重畳画像の表示を制御する（表示制御処理の一例）。出力画像と重なる位置にストローク画像が形成されるときに、重畳部２２Ｙは、ストローク画像のレイヤ１４０ｃに出力画像のレイヤ１４０ｂを重ねた重畳画像から、出力画像のレイヤ１４０ｂにストローク画像のレイヤ１４０ｃを重ねた重畳画像に表示を切り換える制御を実行する。これにより、デフォルトで出力画像のレイヤ１４０ｂを優先して表示するように予め設定されていた場合でも、出力画像と重なる範囲にストローク画像が形成されるときに、ストローク画像の表示が妨げられることを防ぐことができる。
【０１１４】
新たに入力されたストローク情報に基づいて、出力画像と重ならない位置にストローク画像が形成されるときに、重畳部２２Ｙは、出力画像のレイヤ１４０ｂにストローク画像のレイヤ１４０ｃを重ねた重畳画像から、ストローク画像のレイヤ１４０ｃに出力画像のレイヤ１４０ｂを重ねた重畳画像に表示を切り換える制御を実行する。これにより、ストローク画像の表示が優先され続けることで、出力画像の表示が妨げられることを防ぐことができる。
【０１１５】
取得部２２Ｂ（設定入力受付手段の一例）は、操作後のスライダ１４０ａｓの位置に応じて、レイヤの透過度の設定入力を受け付ける。重畳部２２Ｙは、ストローク画像のレイヤ１４０ｃ及び出力画像のレイヤ１４０ｂのうち一方のレイヤを、設定入力に基づく透過度に設定して、他方のレイヤに重ねた重畳画像を表示する制御を実行する。これにより、ストローク画像と出力画像とが重なる場合でも、ユーザは、両方の画像を同時に視認することができる。
【０１１６】
メディアデータは他の端末１０によって送信され、自端末において受信したものであっても良い。これにより、ストローク画像に加えて、メディアデータに基づく出力画像を自端末と他の端末１０との間で共有できるようになる。
【０１１７】
＜＜実施形態の補足＞＞
通信アプリＡ１１，Ｂ１０，Ｂ１１は、インストール可能な形式又は実行可能な形式のファイルによって、コンピュータで読み取り可能な記録媒体に記録されて流通されるようにしてもよい。また、上記記録媒体の他の例として、ＣＤ−Ｒ(Compact Disc Recordable)、ＤＶＤ(Digital Versatile Disk)、ブルーレイディスク等が挙げられる。また、上記記録媒体、あるいは、これらプログラムが記憶されたＨＤ(Hard Disk)は、プログラム製品(Program Product)として、国内又は国外へ提供可能である。
【０１１８】
また、上記実施形態における電子黒板２、ＰＣ８、中継装置３０、及び管理システム５０は、単一の装置によって構築されてもよいし、各部（機能又は手段）を分割して任意に割り当てられた複数の装置によって構築されていてもよい。
【０１１９】
また、上記では、画像共有可能な装置の一例として電子黒板２及びＰＣ８について説明したが、これに限るものではない。例えば、画像共有可能な装置として、上記の電子黒板２及びＰＣ８の有する各機能を搭載可能な他の装置を用いることもできる。他の装置としては、例えば、テレビ会議端末、プロジェクター、デジタルサイネージ、テキスト共有装置、カーナビゲーション端末、ゲーム機、ＰＤＡ（Personal Digital Assistant）、遠隔診断装置等が挙げられる。
【符号の説明】
【０１２０】
１  通信システム
２  電子黒板
３  ディスプレイ
４  電子ペン
５  ＵＳＢメモリ
６  ノートＰＣ
８  ＰＣ
９ａ，９ｂ  通信ネットワーク
２０  クライアント部
２１  通信制御部
２２  描画制御部
２２Ａ  ストローク処理部
２２Ｂ  取得部
２２Ｘ  変換部
２２Ｙ  重畳部
２２Ｚ  ページ処理部
２２０  ページデータ記憶部
３０  中継装置
５０  管理システム
８０  クライアント部
８１  通信制御部
８２  表示制御部
９０  サーバ部
９１  通信制御部
２０００  記憶部
８０００  記憶部
【先行技術文献】
【特許文献】
【０１２１】
【特許文献１】特開２０１５−７０３４５号公報
【図１】
0006540367.tif 000008
【図２】
0006540367.tif 000009
【図３】
0006540367.tif 000010
【図４】
0006540367.tif 000011
【図５】
0006540367.tif 000012
【図６】
0006540367.tif 000013
【図７】
0006540367.tif 000014
【図８】
0006540367.tif 000015
【図９】
0006540367.tif 000016
【図１０】
0006540367.tif 000017
【図１１】
0006540367.tif 000018
【図１２】
0006540367.tif 000019
【図１３】
0006540367.tif 000020
【図１４】
0006540367.tif 000021